(57)【要約】【課題】年配者にも操作しやすく、簡単に操作を覚えることができ、使い勝手のよいリモコン装置１およびリモコンシステムを提供する。【解決手段】リモコン装置１が二酸化炭素センサまたは湿度センサ１１と、タッチセンサ１２または光センサと、音センサ１３と、信号送信手段１４と、信号制御手段１５とを有する。信号送信手段１４は複数種類の制御信号Ａ〜Ｇを送信する。信号制御手段１５は、二酸化炭素センサの検出二酸化炭素濃度または湿度センサ１１の検出湿度、タッチセンサ１２の接触検出または光センサの光検出および音センサ１３の音検出の組合せに応じて、信号送信手段１４に複数種類の制御信号Ａ〜Ｇを送信させる。【選択図】図１
2006165917.tif 000002
【特許請求の範囲】
【請求項１】
二酸化炭素センサまたは湿度センサと、
タッチセンサまたは光センサと、
音センサと、
複数種類の制御信号を送信可能な信号送信手段と、
前記二酸化炭素センサの検出二酸化炭素濃度または前記湿度センサの検出湿度、前記タッチセンサの接触検出または前記光センサの光検出および前記音センサの音検出の組合せに応じて前記信号送信手段に複数種類の制御信号を送信させる信号制御手段とを、
有することを特徴とするリモコン装置。
【請求項２】
前記信号制御手段は二酸化炭素センサの検出二酸化炭素濃度が設定二酸化炭素濃度より高いかまたは前記湿度センサの検出湿度が設定湿度より高いとき、前記タッチセンサの接触検出または光センサの光検出および前記音センサの音検出の組合せに応じて前記信号送信手段に複数種類の制御信号を送信させることを、
特徴とする請求項１記載のリモコン装置。
【請求項３】
請求項１または２記載のリモコン装置と、
第１制御信号に応じてチャンネルを切り替える構成を有するテレビ受像機とを有し、
前記信号制御手段は前記信号送信手段に前記第１制御信号を送信させる構成を有することを、
特徴とするリモコンシステム。
【請求項４】
前記テレビ受像機を載せる台と、第２制御信号に応じて前記台を動力により回転させる回転手段とを有する回転台装置を有し、
前記信号制御手段は前記信号送信手段に前記第２制御信号を送信させる構成を有することを、
特徴とする請求項３記載のリモコンシステム。
【請求項５】
第３制御信号に応じてカーテンを動力によりカーテンレールに沿って移動させるカーテン開閉装置を有し、
前記信号制御手段は前記信号送信手段に前記第３制御信号を送信させる構成を有することを、
特徴とする請求項３または４記載のリモコンシステム。
【請求項６】
第４制御信号に応じて設定湯沸し温度を設定可能な構成を有する風呂温度制御装置を有し、
前記信号制御手段は前記信号送信手段に前記第４制御信号を送信させる構成を有することを、
特徴とする請求項３、４または５記載のリモコンシステム。
【請求項７】
第５制御信号に応じてスイッチを切り替える構成を有する冷暖房装置を有し、
前記信号制御手段は前記信号送信手段に前記第５制御信号を送信させる構成を有することを、
特徴とする請求項３，４，５または６記載のリモコンシステム。
【請求項８】
第６制御信号に応じて昇降可能な構成を有する電動収納庫を有し、
前記信号制御手段は前記信号送信手段に前記第６制御信号を送信させる構成を有することを、
特徴とする請求項３，４，５，６または７記載のリモコンシステム。
【請求項９】
第７制御信号に応じて折り畳まれる構成を有する電動ベッドを有し、
前記信号制御手段は前記信号送信手段に前記第７制御信号を送信させる構成を有することを、
特徴とする請求項３，４，５，６，７または８記載のリモコンシステム。
【発明の詳細な説明】
【技術分野】
【０００１】
本発明は、家庭用電気機器などを制御するためのリモコン装置およびリモコンシステムに関する。
【背景技術】
【０００２】
現在、家電をはじめとした様々な分野でリモコン装置（リモートコントローラー）が普及している。それらの殆どは、押しボタン式やダイヤル式のスイッチで操作するようになっている。しかしながら、年配者の多くは、押しボタン式やダイヤル式のスイッチの操作が不得意で、それらの操作を敬遠する傾向がある。なぜなら、押したり回したりする操作は煩雑で、馴染み難いためである。
従来のリモコン装置として、傾斜センサと加速度センサを利用し、操作性を改善したものがある（特許文献１参照）。
【０００３】
【特許文献１】特開２００３−１１１１７１号公報
【発明の開示】
【発明が解決しようとする課題】
【０００４】
しかしながら、特許文献１記載のリモコン装置は、年配者には操作しにくく、習熟しにくいという課題があった。
【０００５】
本発明は、このような従来の課題に着目してなされたもので、年配者にも操作しやすく、簡単に操作を覚えることができ、使い勝手のよいリモコン装置およびリモコンシステムを提供することを目的とする。
【課題を解決するための手段】
【０００６】
上記目的を達成するために、本発明に係る第１のリモコン装置は、二酸化炭素センサまたは湿度センサと、タッチセンサまたは光センサと、音センサと、複数種類の制御信号を送信可能な信号送信手段と、前記二酸化炭素センサの検出二酸化炭素濃度または前記湿度センサの検出湿度、前記タッチセンサの接触検出または前記光センサの光検出および前記音センサの音検出の組合せに応じて前記信号送信手段に複数種類の制御信号を送信させる信号制御手段とを、有することを特徴とする。
【０００７】
本発明に係る第１のリモコン装置では、二酸化炭素センサまたは湿度センサに息を吹きかけ、タッチセンサまたは光センサに触れ、音センサに音を検出させることにより、信号制御手段の制御で信号送信手段から複数種類の制御信号を送信する。これにより、家電等を遠隔操作することができる。息を吹きかけたり、触れたり、音を出したりする操作は、年配者にも容易であり、簡単に覚えることができ、使い勝手がよい。従って、本発明に係るリモコン装置により、ヒトにやさしいヒューマン・インタフェースを実現することができる。
【０００８】
本発明に係る第２のリモコン装置は、第１のリモコン装置において、前記信号制御手段は二酸化炭素センサの検出二酸化炭素濃度が設定二酸化炭素濃度より高いかまたは前記湿度センサの検出湿度が設定湿度より高いとき、前記タッチセンサの接触検出または光センサの光検出および前記音センサの音検出の組合せに応じて前記信号送信手段に複数種類の制御信号を送信させることを、特徴とする。
本発明に係る第２のリモコン装置では、二酸化炭素センサまたは湿度センサに息を吹きかけた後にタッチセンサまたは光センサに触れたり、音センサに音を検出させたりすることにより、信号制御手段の制御で信号送信手段から複数種類の制御信号を送信する。
【０００９】
本発明に係る第１のリモコンシステムは、第１または第２のリモコン装置と、第１制御信号に応じてチャンネルを切り替える構成を有するテレビ受像機とを有し、前記信号制御手段は前記信号送信手段に前記第１制御信号を送信させる構成を有することを、特徴とする。
本発明に係る第１のリモコンシステムは、第１または第２のリモコン装置の操作により、テレビ受像機のチャンネルを切り替えることができる。
【００１０】
本発明に係る第２のリモコンシステムは、第１のリモコンシステムにおいて、前記テレビ受像機を載せる台と、第２制御信号に応じて前記台を動力により回転させる回転手段とを有する回転台装置を有し、前記信号制御手段は前記信号送信手段に前記第２制御信号を送信させる構成を有することを、特徴とする。
本発明に係る第２のリモコンシステムは、第１または第２のリモコン装置を操作して、回転台装置の回転手段によりテレビ受像機を載せる台を回転させることができる。これにより、テレビ受像機の画面の向きをリモコン操作で変えることができる。
【００１１】
本発明に係る第３のリモコンシステムは、第１または第２のリモコンシステムにおいて、第３制御信号に応じてカーテンを動力によりカーテンレールに沿って移動させるカーテン開閉装置を有し、前記信号制御手段は前記信号送信手段に前記第３制御信号を送信させる構成を有することを、特徴とする。
本発明に係る第３のリモコンシステムは、第１または第２のリモコン装置を操作して、カーテン開閉装置でカーテンをカーテンレールに沿って移動させ、カーテンの開閉を容易にすることができる。
【００１２】
本発明に係る第４のリモコンシステムは、第１、第２または第３のリモコンシステムにおいて、第４制御信号に応じて設定湯沸し温度を設定可能な構成を有する風呂温度制御装置を有し、前記信号制御手段は前記信号送信手段に前記第４制御信号を送信させる構成を有することを、特徴とする。
本発明に係る第４のリモコンシステムは、第１または第２のリモコン装置を操作して、風呂温度制御装置により設定湯沸し温度を設定し、湯加減を好みの温度に調節することができる。
【００１３】
本発明に係る第５のリモコンシステムは、第１、第２、第３または第４のリモコンシステムにおいて、第５制御信号に応じてスイッチを切り替える構成を有する冷暖房装置を有し、前記信号制御手段は前記信号送信手段に前記第５制御信号を送信させる構成を有することを、特徴とする。
本発明に係る第５のリモコンシステムは、第１または第２のリモコン装置を操作して、冷暖房装置のスイッチを入れたり切ったりすることができる。
【００１４】
本発明に係る第６のリモコンシステムは、第１、第２、第３、第４または第５のリモコンシステムにおいて、第６制御信号に応じて昇降可能な構成を有する電動収納庫を有し、前記信号制御手段は前記信号送信手段に前記第６制御信号を送信させる構成を有することを、特徴とする。
本発明に係る第６のリモコンシステムは、第１または第２のリモコン装置を操作して、電動収納庫を昇降させることができる。
【００１５】
本発明に係る第７のリモコンシステムは、第１、第２、第３、第４、第５または第６のリモコンシステムにおいて、第７制御信号に応じて折り畳まれる構成を有する電動ベッドを有し、前記信号制御手段は前記信号送信手段に前記第７制御信号を送信させる構成を有することを、特徴とする。
本発明に係る第７のリモコンシステムは、第１または第２のリモコン装置を操作して、電動ベッドを折り畳むことができる。
【発明の効果】
【００１６】
本発明によれば、年配者にも操作しやすく、簡単に操作を覚えることができ、使い勝手のよいリモコン装置およびリモコンシステムを提供することができる。
【発明を実施するための最良の形態】
【００１７】
以下、図面に基づき本発明の実施の形態について説明する。
図１および図２は、本発明の実施の形態のリモコンシステムを示している。
図１に示すように、リモコンシステムは、リモコン装置１と、テレビ受像機２と、回転台装置３と、カーテン開閉装置４と、風呂温度制御装置５と、冷暖房装置６と、電動収納庫７と、電動ベッド８とから成っている。
【００１８】
リモコン装置１は、図１および図２に示すように、湿度センサ１１と、タッチセンサ１２と、音センサ１３と、信号送信手段１４と、信号制御手段１５と、発光ダイオード１６とを有している。リモコン装置１は、電池が交換可能にセットされ、その電力で作動する。
【００１９】
湿度センサ１１は、湿度を検出して検出湿度を出力するようになっている。
タッチセンサ１２は、指などで触れたとき接触を検出して接触検出信号を出力するようになっている。
音センサ１３は、音を検出して音検出信号を出力するようになっている。
信号送信手段１４は、家電などを操作するための複数種類の制御信号を近赤外線方式で送信可能となっている。
【００２０】
図２に示す信号制御手段１５は、湿度センサ１１から検出信号を入力して湿度センサ１１の検出湿度を設定湿度と比較し、検出湿度が設定湿度より高いとき、タッチセンサ１２と音センサ１３とを検出可能なスタンバイ状態にするようになっている。このとき、信号制御手段１５は、発光ダイオード１６を点灯させる。信号制御手段１５は、タイマー機能を有し、タッチセンサ１２と音センサ１３とをスタンバイ状態にした後、所定時間が経過すると、タッチセンサ１２と音センサ１３をスタンバイ状態からオフに切り換え、発光ダイオード１６を消灯させる。
【００２１】
信号制御手段１５は、スタンバイ状態のタッチセンサ１２と音センサ１３から検出信号を入力すると、タッチセンサ１２の接触検出および音センサ１３の音検出の組合せに応じて信号送信手段１４に複数種類の制御信号Ａ〜Ｇを送信させる構成を有している。信号制御手段１５は、記憶部１７を備えている。記憶部１７は、制御信号Ａ〜Ｇを生成するためのテーブルを記憶している。テーブルは、タッチセンサ１２の接触検出および音センサ１３の音検出の組合せと、第１制御信号Ａ乃至第７制御信号Ｇとの対応関係を示している。信号制御手段１５は、記憶手段に記憶されるテーブルに基づいて信号送信手段１４に第１制御信号Ａ乃至第７制御信号Ｇを送信させる。
【００２２】
具体的には、信号制御手段１５は、音センサ１３が検出する音の種類と、タッチセンサ１２に触るタイミングにより各制御信号Ａ〜Ｇを送信させることができる。
【００２３】
テレビ受像機２は、リモコン装置１の信号送信手段１４からの第１制御信号Ａに応じてチャンネルを切り替える構成を有している。
回転台装置３は、テレビ受像機２を載せる台３１と、第２制御信号Ｂに応じて台を動力により回転させる回転手段３２とを有している。
カーテン開閉装置４は、第３制御信号Ｃに応じてカーテン４１を動力によりカーテンレール４２に沿って移動させる構成を有している。
【００２４】
風呂温度制御装置５は、第４制御信号Ｄに応じて設定湯沸し温度を設定可能な構成を有している。
冷暖房装置６は、第５制御信号Ｅに応じてスイッチを切り替える構成を有している。
電動収納庫７は、第６制御信号Ｆに応じて昇降可能な構成を有している。
電動ベッド８は、第７制御信号Ｇに応じて折り畳まれる構成を有している。
【００２５】
次に、作用について説明する。
図１に示すリモコン装置１は、湿度センサ１１に息を吹きかけ、検出湿度が設定湿度より高くなると、タッチセンサ１２と音センサ１３がスタンバイ状態になる。これにより、電池の寿命を延ばすことができるとともに、誤作動を防止することができる。スタンバイ状態になると、発光ダイオード１６が点灯し、スタンバイ状態を目で確認することができる。この状態で、タッチセンサ１２に触れたり、音センサ１３の近くを叩いて音センサ１３に音を検出させたりすることにより、信号制御手段１５の制御で信号送信手段１４から複数種類の制御信号Ａ〜Ｇを送信する。これにより、家電等を遠隔操作することができる。息を吹きかけたり、触れたり、音を出したりする操作は、年配者にも容易であり、簡単に覚えることができ、使い勝手がよい。従って、本発明に係るリモコン装置１により、ヒトにやさしいヒューマン・インタフェースを実現することができる。
【００２６】
このリモコン装置１の操作により、以下の作動が可能となる。（１）テレビ受像機２のチャンネルを切り替える。（２）回転台装置３の回転手段３２によりテレビ受像機２を載せる台３１を回転させる。（３）カーテン開閉装置４でカーテン４１をカーテンレール４２に沿って移動させ、カーテン４１の開閉を容易にする。（４）風呂温度制御装置５により設定湯沸し温度を設定し、風呂５１の湯加減を好みの温度に調節する。（５）冷暖房装置６のスイッチを入れたり切ったりする。（６）電動収納庫７を昇降させる。（７）電動ベッド８を折り畳む。
【００２７】
なお、リモコン装置１に設けるタッチセンサ１２の数や音センサ１３の数は、１個だけでなく、２個以上であってもよい。また、湿度センサ１１の代わりに二酸化炭素センサを用いてもよく、タッチセンサ１２の代わりに光センサを用いてもよい。
タッチセンサ１２と音センサ１３の操作は、自由に設定することができる。具体的な設定方法としては、例えば、タッチセンサ１２を触れば、テレビがオンになり、リモコン装置１の右側を叩けば音センサ１３ーがその打撃音をキャッチして、チャンネルが＋側に切り替わり、左側を叩けばチャンネルが−側に切り替わる。さらに、タッチセンサ１２の右側に触れば、音量が増し、左側に触れば音量が小さくなる。
【００２８】
これらの操作は人間の自然な動作で行うことができ、指先の細かな感覚に頼らずに操作できることから、年配者にとって非常に扱い易いものとなる。さらに、息を吐くという行為や、手で叩く、触るといった行為は、指先で細かな操作をする場合と比較して、それぞれが著しく異なる行為のため、それぞれの動作を識別しやすく、慣れるのも早い。年配者になれば、手足はまるで拘束具で縛られたように不自由になることが多く、細かな動きが非常に不得意になるものである。そのような年配者に操作しやすいリモコン装置１は、きわめて「人に優しい」装置ということができる。
【図面の簡単な説明】
【００２９】
【図１】本発明の実施の形態のリモコンシステムを示す概略図である。
【図２】図１に示すリモコン装置１の構成を示すブロック図である。
【符号の説明】
【００３０】
１  リモコン装置
２  テレビ受像機
３  回転台装置
４  カーテン開閉装置
５  風呂温度制御装置
６  冷暖房装置
７  電動収納庫
８  電動ベッド
１１  湿度センサ
１２  タッチセンサ
１３  音センサ
１４  信号送信手段
１５  信号制御手段
１６  発光ダイオード
１７  記憶部
【図１】
2006165917.tif 000003
【図２】
2006165917.tif 000004